(57)【特許請求の範囲】
【請求項１】
焦点調節情報の検出に用いることが可能な複数の焦点調節エリアと測光情報の検出に用いることが可能な複数の測光エリアとを有し、
前記焦点調節エリアの数が第１の数の場合には選択可能なそれぞれの焦点調節エリアと測光エリアとが対応しており、前記焦点調節エリアの数が前記第１の数よりも多い第２の数の場合には測光エリアに対応しない選択可能な焦点調節エリアがあるカメラにおいて、
前記複数の中から焦点調節情報の検出用として選択可能な焦点調節エリアの数を設定する設定手段と、
前記設定手段により設定された焦点調節エリアの数が前記第１の数の場合には選択された焦点調節エリアに対応する測光情報を検出する測光エリアを設定し、前記設定手段により設定された焦点調節エリアの数が前記第２の数の場合には選択された焦点調節エリアにかかわらず予め決められた測光エリアを設定する測光エリア変更手段とを有することを特徴とするカメラ。
【請求項２】
前記複数の焦点調節エリアは、前記複数の測光エリアよりも小さな形状をしていることを特徴とする請求項１記載のカメラ。
【請求項３】
前記設定手段により設定された焦点調節エリアの数が前記第１の数よりも多い前記第２の数の場合に設定される、予め決められた測光エリアは、画面中央に位置する測光エリアであることを特徴とする請求項１又は２記載のカメラ。
【発明の詳細な説明】
【０００１】
【発明の属する技術分野】
本発明は、複数の焦点調節エリアと複数の測光エリアを有するカメラの改良に関するものである。
【０００２】
【従来の技術】
近年の技術の進歩により、ファインダ視野内における焦点情報を検出するオートフォーカス（ＡＦ）エリア（以下、ＡＦポイントと記す）の数は増える傾向にある。また、このＡＦポイントの増大に応じて測光エリアの数も増える傾向にある。又、測光エリアの増大に応じて該測光エリアの１セル当たりの面積は小さくなっており、ファインダ内の数％の面積のみを測光する、いわゆるスポット測光も画面中心だけでなく、画面周辺部においても可能になっている。
【０００３】
【発明が解決しようとしている課題】
しかしながら、上記の構成ではＡＦポイントと測光エリアが全て一致するわけではないので、スポット測光や、一つの測光エリアでレリーズ前にストロボを小光量発光させて発光量を決める記憶式調光（以後、ＦＥＬＫと記す）を行う場合、何らかのルールを設けないと非常に使い勝手の悪いカメラになってしまう。
【０００４】
また、撮影時に使用可能なＡＦポイントの数を変更可能なモードを設けた場合には、使用できないＡＦポイントで測光が可能になってしまうなど使い勝手悪いカメラになってしまう。
【０００５】
（発明の目的）
本発明の目的は、適正かつ煩雑な測光エリアの選択を使用者に委ねることの無いカメラを提供しようとするものである。
【０００７】
【課題を解決するための手段】
上記目的を達成するために、本発明は、焦点調節情報の検出に用いることが可能な複数の焦点調節エリアと測光情報の検出に用いることが可能な複数の測光エリアとを有し、前記焦点調節エリアの数が第１の数の場合には選択可能なそれぞれの焦点調節エリアと測光エリアとが対応しており、前記焦点調節エリアの数が前記第１の数よりも多い第２の数の場合には測光エリアに対応しない選択可能な焦点調節エリアがあるカメラにおいて、前記複数の中から焦点調節情報の検出用として選択可能な焦点調節エリアの数を設定する設定手段と、前記設定手段により設定された焦点調節エリアの数が前記第１の数の場合には選択された焦点調節エリアに対応する測光情報を検出する測光エリアを設定し、前記設定手段により設定された焦点調節エリアの数が前記第２の数の場合には選択された焦点調節エリアにかかわらず予め決められた測光エリアを設定する測光エリア変更手段とを有するカメラとするものである。
【００１１】
【発明の実施の形態】
図１（ａ），（ｂ）は本発明の実施の第１の形態に係るカメラのファインダ視野内におけるＡＦポイントと測光エリアを示す図である。
【００１２】
同図において、４０１はファインダ視野、４０２はＡＦポイント（黒塗り及び斜線部で示した最も小さな四角形）、４０３は後述する測光センサにより測光可能な範囲、４０４は後述する測光センサを多分割して独立に測光を可能とする１セルに対応するエリア（以下、この１セルに対応するエリアを便宜上、分割測光エリアと記す）で、前記ＡＦポイント４０２を含む四角形（図１では白色及び灰色で示している）をしている。
【００１３】
前記分割測光エリア４０４は、図１に示す様に、７行１１列の７７個存在し、前記ＡＦポイント４０２は５行９列の４５点存在する。分割測光エリア４０４のうち、灰色で示した部分はスポット測光可能なエリアを示している。
【００１４】
図１（ａ）は、ＡＦポイントとして４５点のすべてを選択可能なモード（最終的には４５点から使用者が一つを選ぶことになるが、その選択対象となるＡＦポイントの数が４５点であるモードを意味する）が選択された場合を黒塗り（実際はＬＣＤによる点灯状態）して示しており、この場合のスポット測光は、４５点のＡＦポイントそれぞれに対応づけられた灰色で示した４５個の分割測光エリア４０４それぞれにて可能である。そして、前記黒塗りされた４５点のＡＦポイントのうちから最終的に使用者により任意の一つが選択されると、スポット測光時には、これに対応づけられた分割測光エリア４０４のみが自動的にスポット測光エリアとして使用される。
【００１５】
図１（ｂ）は、ＡＦポイントとして１１点を選択可能なモード（最終的には１１点から使用者が一つを選ぶことになるが、その選択対象となるＡＦポイントの数が１１点であるモードを意味する）が選択された場合を黒塗りして示しており（斜線で示した部分は選択不可）、この場合のスポット測光は、１１点のＡＦポイントそれぞれに対応する灰色で示した１１個の分割測光エリア４０４それぞれにて可能である。そして、前記黒塗りされた１１点のＡＦポイントのうちから最終的に使用者により任意の一つが選択されると、スポット測光時には、これに対応づけられた分割測光エリア４０４のみが自動的にスポット測光エリアとして使用される。
【００１６】
図２は、上記構成におけるカメラのＡＦポイント選択モードスイッチの拡大図であり、このＡＦポイント選択モードスイッチＦＰ＿ＳＥＬを「１１」の指標４０５に合わせることにより、図１（ｂ）に示した選択可能なＡＦポイント数として１１点を選択することができ、ＡＦポイント選択モードスイッチＦＰ＿ＳＥＬを「４５」の指標４０６に合わせることにより、図１（ａ）に示した選択可能なＡＦポイント数として４５点を選択することができる。
【００１７】
図３は、上記構成におけるカメラの主要部分の電気的構成を示すブロック図である。
【００１８】
同図において、１００はカメラの各種の制御を司るＭＰＵであり、ＲＡＭ１００ａ，不揮発性メモリであるＥＥＰＲＯＭ１００ｂ，カメラの測光値や焦点情報等のアナログ値をデジタル値に変換するＡ／Ｄ変換器１００ｃ等を内蔵している。１０１は前記ＭＰＵ１００が動作するための発振周波数を作り出す発振器、１０２は４５点のＡＦポイントそれぞれにて焦点情報を検出することのできる焦点検出装置であり、４５個（図１において黒塗りで示した５行９列の計４５個のＡＦポイントに対応）のセンサ部をペアとするＡＦセンサ２０１を具備している。
【００１９】
１０３は測光センサ２０２を具備した測光回路であり、図１に示した様に、前記測光センサ２０２は７行１１列の７７個の分割測光エリア４０４に対応するセル（センサ部）に分割されている。１０４はシャッタ制御回路であり、ＭＰＵ１００からの制御信号を受けると、コイル２０４（ＭＧ−１）に電流を流して不図示のシャッタ先幕を走行させ、所定時間後にコイル２０３（ＭＧ−２）に電流を流してシャッタ後幕を走行させる。１０５はミラー制御回路であり、ＭＰＵ１００からの指示に従ってコイル２０５（ＭＧ−Ｍ）に電流を流し、ミラーアップ，ミラーダウンを行う。１０６はモータ制御回路であり、ＭＰＵ１００からの指示に従って、シャッタチャージ用のモータ２０６（Ｍ１）とフィルム給送用のモータ２０７（Ｍ２）の駆動を行う。
【００２０】
１０７はフィルム走行検知回路であり、フィルム給送中にフィルムに赤外光を照射してその反射光でフィルム走行の検知を行う。１０８はスイッチセンス回路であり、カメラの操作部材や入力スイッチの管理を行う。一例として、測光・ＡＦスイッチであるスイッチＳＷ１，レリーズスイッチであるスイッチＳＷ２，ＡＦポイント数を選択する図２に示したＡＦポイント選択モードスイッチＦＰ＿ＳＥＬ等がある。１０９は液晶表示回路であり、ファインダ内ＬＣＤ２０８と外部液晶であるモニタ用ＬＣＤ２０９の点灯制御を行う。なお、前記ファインダ内ＬＣＤ２０８は、図１の４５点のＡＦポイントの位置にそれぞれＬＣＤを有しており、液晶表示回路１０９は選択されたＡＦポイントに対応するＬＣＤを点灯（黒塗り部分）させ、選択されていないＡＦポイントに対応するＬＣＤは消灯（白色の部分）させる。
【００２１】
１１０は調光回路であり、ストロボの発光制御や調光センサ２１０の出力に応じてストロボの発光停止制御を行う。１１１はレンズ接点であり、カメラ本体側からレンズ側へレンズ駆動用電源・レンズ絞り用電源を供給する為の端子やカメラ本体側からの制御信号を出力する為の端子等より成る。
【００２２】
１１２はレンズ制御回路であり、カメラ本体側のＭＰＵ１００から制御信号を受け、レンズ駆動モータ２１１とレンズ絞り駆動モータ２１２の制御とレンズ内の後述するフォトインタラプタからの信号を受ける。２１４はフォトインタラプタであり、レンズ駆動に連動するパルス板２１５の透過光を出力としてレンズ制御回路１１２へ送出する。２１３はレンズ絞り駆動モータ２１２によって駆動される絞りである。
【００２３】
１１３はストロボ制御用接点であり、カメラ本体側とストロボ装置との通信端子を成す。２１６は外付けストロボ装置内に具備されたストロボ制御回路であり、カメラ本体側の調光回路１１０の出力に応じてキセノン管２１７を発光させたり、発光停止回路２１８の制御を行う。２１９はグラスファイバーであり、キセノン管２１７の光を後述するフォトダイオードに導光する。２２０はフォトダイオードであり、プリ発光時の出力を検知することによりストロボ発光量の制御を行っている。２２１はやはりフォトダイオードであり、キセノン管２１７の出力を直接監視しており、プリ発光時の出力のモニタを行って、フラット発光の制御を行っている。
【００２４】
図４は、上記構成のカメラの上面図であり、この図を用いて該カメラに配置される各種の操作部材について説明する。なお、これら操作部材の状態信号は図３に示した図３のスイッチセンス回路１０８に入力される。
【００２５】
２５１は撮影レンズ２５０に具備されたオートフォーカススイッチであり、オートフォーカスにより撮影を行うか、マニュアルフォーカスで撮影を行うかを切り換える為のスイッチである。２５２は測光モード切換スイッチであり、後述する様に“評価測光”、“平均測光”、“スポット測光”、“部分測光”の何れかの測光モードに切り換える為のスイッチである。２５３は撮影モードを切り換える為のモードセレクタであり、これにて“シャッタ優先ＡＥ”、“絞り優先ＡＥなどの撮影モードを設定可能である。
【００２６】
ＦＰ＿ＳＥＬは図２等に示したＡＦポイント選択モードスイッチであり、４５点か１１点かの選択可能なＡＦポイント数を選ぶ際に使用される。２５４はメインダイアルであり、２５５はサブダイアルであり、これらによりシャッタスピード・絞りの設定や、前記選択可能なＡＦポイント数の中より任意の一つのＡＦポイントの設定を行う。２５６はＡＥロック釦であり、測光値を固定したい時に押すと測光値が固定され、又専用ストロボ使用時にはこの釦を押すことでＦＥＬＫの動作を行う。２５７は液晶パネルであり、カメラの設定値などを撮影者に知らせる為のものであり、このうち測光モード表示部２５７ａでは、前記測光モード切換スイッチ２５２の切換え操作に応じて図８の様な測光モード表示に切り換わる。
【００２７】
２５８はレリーズスイッチであり、半押しされることにより図３に示したスイッチＳＷ１がオンして測光・ＡＦが開始され、全押しされるとレリーズスイッチＳＷ２がオンしてレリーズ動作が開始される。２５９はオートフォーカスモードスイッチであり、一度ピントが合うとそこでレンズ位置を固定するモードか、被写体が動体であることを想定してシャッタが切れるまでオートフォーカスを続けるモードかに切り換える為のものである。２５９は給送モード設定スイッチであり、フィルムを連続して巻き上げるモードか、１枚巻き上げ固定のモードかに切り換える為のスイッチである。
【００２８】
図５は、上記構成におけるカメラ及び該カメラに装着されるアクセサリーである外付けストロボ装置の光学系を主に示した構成図である。
【００２９】
同図において、１はカメラ本体であり、この中に以下に述べる光学部品，不図示の機械的部品，図３に示した様な電気素子、感光部材などが収納され、これらを用いることによって写真撮影が行えるようになっている。２は主ミラーであり、観察状態と撮影状態に応じて撮影光路へ斜設されあるいは退去される。また、該主ミラー２はハーフミラーとなっており、図５の様に斜設されているときも、後述する焦点検出光学系へ不図示の被写体からの光束の約半分を透過させている。
【００３０】
３はレンズ１２〜１４の予定結像面に配置されたピント板、４はファインダ光路変更用のペンタプリズムである。５はファインダ窓であり、撮影者はこの窓よりピント板３を観察することで、撮影画面を観察することが出来る。６，７は観察画面内の被写体輝度を測定する為の結像レンズと多分割の測光センサであり、結像レンズ６はペンタダハプリズム４内の反射光路を介してピント板３と多分割測光センサ７（図３の測光センサ２０２に相当する）を共役に関係付けている。８はシャッタ、９は感光部材であり、銀塩フィルム等より成っている。
【００３１】
２３，２４は露光時にフイルム面反射光を測光する為の結像レンズと調光用センサであり、露光時のストロボ光の発光を調光用センサ２４（図３の調光センサ２１０に相当する）で測光し、所定量に達したと判定されるとストロボ光の発光が停止され、発光量の制御が行われる。２５はサブミラーであり、被写体からの光束を下方に折り曲げて、焦点検出ユニット２６の方に導いている。
【００３２】
前記焦点検出ユニット２６内には、２次結像ミラー２７，２次結像レンズ２８，焦点検出ラインセンサ２９（図３のＡＦセンサ２０１に相当する）等が具備されている。前記２次結像ミラー２７と２次結像レンズ２８により焦点検出光学系を成しており、撮影光学系の２次結像面を焦点検出ラインセンサ２９上に結んでいる。焦点検出ユニット２６は後述の電気的処理により、既知の位相差検出法により撮影画面内において４５点（図１のＡＦポイント４０２参照）において被写体の焦点状態を検出し、撮影レンズの焦点調節機構を制御することにより自動焦点検出装置を実現している。
【００３３】
１０はレンズ接点（図３のレンズ接点１１１に相当する）、１１は撮影レンズ（図３の撮影レンズ２５０に相当する）、１２〜１４は撮影レンズ１１を構成するレンズである。詳しくは、１２は１群レンズであり、光軸上を左右に可動することで撮影画面のピント位置を調整することが出来る。１３は２群レンズであり、光軸上を左右に可動することで撮影画面の変倍となり、撮影レンズ１１の焦点距離が変更される。１４は３群固定レンズ、１５は絞り（図３の絞り２１３に相当する）である。１６はレンズ駆動モータ（図３のレンズ駆動モータ２１１に相当する）であり、自動焦点調節動作により、つまり１群レンズ１２を図５中左又は右に移動させることにより自動的にピント位置を調整することが出来る。１７はレンズ絞り駆動モータ（図３のレンズ絞り駆動モータ２１２に相当する）であり、これにより絞り１５を開放にしたり、絞ったりする事が出来る。
【００３４】
１８は外付けストロボ装置であり、カメラ本体側１に装着され、該カメラ本体側からの信号に従ってストロボ発光制御を行うものである。１９はキセノン管（図３のキセノン管２１７に相当する）であり、電流エネルギーを発光エネルギーに変換する。２０，２１は反射板とフレネルレンズであり、それぞれ発光エネルギーを効率良く被写体に向けて集光する役目である。２２はカメラ本体側１と外付けストロボ装置１８とのインターフェースとなる接点（図３のストロボ制御用接点１１３に相当する）である。
【００３５】
３０はグラスファイバー（図３のグラスファイバー２１９に相当する）であり、キセノン管１９の発光した光をモニタ用のフォトダイオード３１（図３のフォトダイオード２２０に相当する）に導いている。このフォトダイオード３１は、ストロボのプリ発光及び本発光の光量を直接測光しているものであり、本発光量の制御のためのものである。３２はやはりキセノン管１９の発した光をモニタするフォトダイオード（図３のフォトダイオード２２１に相当する）であり、該フォトダイオード３２の出力によりキセノン管１９の発光電流を制限してストロボがフラット発光を行う事が出来る。
【００３６】
図６は、本発明の実施の第１の形態に係るカメラの一連の動作を示すフローチャートである。
【００３７】
ステップ＃５１において、ＭＰＵ１００は、まずスイッチＳＷ１がオンしたか否かを判定し、オンしていなければオンするまでこのステップで待機する。その後、スイッチＳＷ１がオンしたことを判定するとステップ＃５２へ進み、ここではカメラの各スイッチ状態の読み込みを行い、上記スイッチ設定状態によって選択された撮影モードに移行する。選択された撮影モードの一例として、測光モードを説明する。
【００３８】
本実施の形態のカメラは、測光モードとして、図８に示した様に“評価測光”、“平均測光”、“スポット測光”、“部分測光”の４つのモードを選択可能となっている。ここで、「評価測光」とは、各分割測光エリアの出力を基に撮影画面の輝度分布から常に最適な測光値を出力する測光方式であり、「平均測光」とは、各分割測光センサの出力の平均値を出力するものである。「スポット測光」とは、画面内の数パーセントの微少な部分（図１に示した一つの分割測光エリア４０４）にて測光して出力する測光方式であり、「部分測光」とは、スポット測光の測光エリアを若干広げた測光エリア（図１に示した分割測光エリア４０４が複数個で成る測光エリア）にて測光して出力する測光方式である。
【００３９】
以下、本実施の形態では、測光モードとして撮影範囲のごく一部の部分、つまり選択された一つの分割測光エリア４０４のみにて測光するスポット測光が選択されたことを前提に説明を進める。
【００４０】
ここで、図６のステップ＃５２の中で、スポット測光・ＡＦポイント連動に関連するサブルーチン「スポット測光連動」について、図７のフローチャートを用いて説明する。
【００４１】
ステップ＃３０１においては、ＡＦポイント切換スイッチＦＰ＿ＳＥＬにてＡＦポイント数の変更操作がなされたか否かを判定し、変更操作がなされていなければ撮影状態に変化がないので直ちにステップ＃３０７へ進む。一方、ＡＦポイントの変更操作がなされた場合はステップ＃３０１からステップ＃３０２へ進み、ここでは変更された選択可能とするＡＦポイントが４５点か否かを判定する。この結果、ＡＦポイントが４５点であった場合にはステップ＃３０３へ進み、そうでない場合にはステップ＃３０５へ進む。
【００４２】
ステップ＃３０３においては、測光エリアが４５点のＡＦポイントに連動するようにＭＰＵ１００は処理する（選択可能な測光エリアを図１（ａ）の灰色で示した分割測光エリアすべてとする）。そして、次のステップ＃３０４において、４５個の分割測光エリアから任意の一つを選択可能であることを撮影者に知らせる為にＭＰＵ１００は液晶表示回路１０９及びファインダ内ＬＣＤ２０８を用いてファインダ内の４５点全てのＬＣＤを点灯させる（図１（ａ）の黒塗りで示した状態）。尚、実際は使用者が点灯している４５点のＡＦポイントのうちから任意の一つを選ぶことに連動して、対応づけられた分割測光エリアがスポット測光エリアとして選択されることになる。
【００４３】
また、選択可能なＡＦポイントが４５点でなく、１１点であった場合はステップ＃３０５へ進み、１１点のＡＦポイントに連動するようにＭＰＵ１００は処理する（選択可能な測光エリアを図１（ｂ）の灰色で示した分割測光エリアすべてとする）。そして、次のステップ＃３０６において、１１個の測光エリアから任意の一つを選択可能であることを撮影者に知らせる為にＭＰＵ１００は液晶表示回路１０９及びファインダ内ＬＣＤ２０８を用いてファインダ内の１１点のＬＣＤのみを点灯させる（図１（ｂ）の黒塗りで示した状態）。この場合も、実際は使用者が点灯している１１点のＡＦポイントのうちから任意の一つを選ぶことに連動して、対応づけられた分割測光エリアがスポット測光エリアとして選択されることになる。
【００４４】
上記ステップ＃３０４又は＃３０６の動作を終了した後は、何れもステップ＃３０７へ進み、ここではＦＥＬＫモードが設定されているか否かの判定を行う。このＦＥＬＫモードは、前述した様に、専用ストロボ装着状態においてＡＥロック釦２５６を押すことで設定可能である。ＦＥＬＫモードになっている場合はステップ＃３０８へ進み、プリ発光を行い、この発光中に次のステップ＃３０９において、測光動作（調光動作）を行い、得られた測光データをストロボ発光時に利用する為にＭＰＵ１００は内蔵するＲＡＭ１００ａに記憶して、このサブルーチンを終了する。又ＦＥＬＫモードになっていない場合は、ステップ＃３０７から直ちにこのサブルーチンを終了する。
【００４５】
また、この図６のステップ＃５２においては、この後上記の図１（ａ）又は（ｂ）の表示を見た使用者により、前述した様に４５点又は１１点のＡＦポイントのうちから任意の一つを選ぶ操作が行われるが、ＭＰＵ１００はこの選択されたＡＦポイントがどれであるか、及び、この選択操作に連動して該ＡＦポイントに対応づけられている分割測光エリアがどれであるかを内蔵するＲＡＭ１００ａに記憶する（詳細はフローでは図示していない）。
【００４６】
図６に戻って、ステップ＃５３においては、前記４５点又は１１点のＡＦポイントのうちから選ばれたＡＦポイントにて得られる焦点情報を焦点検出回路１０２より得、レンズ制御回路１１２及びレンズ駆動モータ２１１を駆動して撮影レンズのピント合わせを行う。そして、次のステップ＃５４において、前記ＡＦポイントに対応して選択している分割測光エリアの測光情報を測光回路１０３より得、この測光情報に基づいてシャッタ秒時や絞り値を決定する。
【００４７】
次のステップ＃５５においては、レリーズスイッチＳＷ２がオンしたか否かを判定し、オンしていなければ再びスイッチＳＷ１の状態判定を行うステップ＃５１へ戻るが、オンしていた場合はステップ＃５６へ進み、電源電池が撮影動作を実行するに十分な容量を持っているかを所定のアクチュエータへ擬似的に負荷をかけて調べる。この結果、十分でなければ不図示であるが警告等をして一連の動作を終了するが、ここでは電池容量が十分であったとしてステップ＃５７へ進むものとする。
【００４８】
ステップ＃５７においては、レリーズ動作を実行する為に上記ステップ＃５４にて決定された絞り値にレンズ制御回路１１２及びレンズ絞り駆動モータ２１２を介して絞り２１３を絞り、続くステップ＃５８においては、上記ステップ＃５４にて決定されたシャッタ秒時に基づいてシャッタ制御回路１０４等を制御して不図示のシャッタの開閉制御（露光制御）を行う。この際、必要であれば外付けストロボ装置が使用される。そして、次のステップ＃５９において、前記絞り２１３を開放位置に戻し、続くステップ＃６０において、モータ制御回路１０６やフィルム走行検知回路１０７等を制御して撮影フィルムの巻き上げ動作を行い、ステップ＃５１へ戻る。
【００４９】
以上により一連の動作が終了する。
【００５０】
（実施の第２の形態）
上記実施の第１の形態ではＡＦポイントと分割測光エリアの位置が一致している例を示したが、本発明の実施の第２の形態では、ＡＦポイントと分割測光エリアの数や形状が一致しない場合について説明する。尚、カメラの機械的及び電気的構成は上記実施の第１の形態と同様であるので、その説明は省略する。
【００５１】
図９（ａ）は本発明の実施の第２の形態におけるファインダ視野上から見た４５点のＡＦポイント４１１を示す図、図９（ｂ）は各分割測光エリア４１２を示す図である。なお、分割測光エリア４１２は複数の異なる形状をしたものから成り、又それらの形状は前記ＡＦポイント４１１とも異なると共に、すべて大きな形状をしている。具体的には、分割測光エリア４１２は、同一形状別に分類すると、分割測光エリア４１２ａ（４個），分割測光エリア４１２ｂ（２個），分割測光エリア４１２ｃ（２個），分割測光エリア４１２ｄ（２個），分割測光エリア４１２ｅ（４個），分割測光エリア４１２ｆ（７個）を有し、これらのうち、分割測光エリア４１２ｃ〜４１２ｆの計１５個においてスポット測光が可能である。
【００５２】
図９（ａ）と図９（ｂ）を比較すればわかるように、この実施の形態のカメラにおいては、ＡＦポイントと分割測光エリアの数や形状は一致はしていない。そのためにスポット測光やＦＥＬＫを行う際には、選択可能なＡＦポイントの数に応じて選択を可能とする測光エリアの変更のし方も、上記実施の第１の形態とは異なり、以下この点について説明する。
【００５３】
ここで、スポット測光が選択された時のカメラの撮影動作について、図１０を用いて説明するが、基本的な動作は上記実施の第１の形態と同様であるので、図１０には異なる部分のみ、つまり図６のステップ＃５２の中で行われるスポット測光・ＡＦポイント連動に関連するサブルーチン「スポット測光連動」の部分のみを図示してある。
【００５４】
図１０のステップ＃３５１においては、ＡＦポイント切換スイッチＦＰ＿ＳＥＬにて現在設定されている選択可能なＡＦポイントが４５点であるか否かを判定し、そうであった場合はステップ＃３５２へ進み、ここではＭＰＵ１００は分割測光エリアのうち、選択可能な測光エリアを中央の分割測光エリアに固定する。これは、すべてのＡＦポイントを選択可能とする様な撮影シーンを考えた場合、主要被写体を画面中央に配置する頻度が経験等から高い事、更には通常画面中央にのみＦＡポイントを示す指標が形成されており、この位置を選択可能な分割測光エリアとすることが初心者のユーザーにとってはわかり易い事などの理由による。
【００５５】
次のステップ＃３５３においては、選択可能な分割測光エリアを画面中央に固定した事を撮影者に知らせる為にＭＰＵ１００は液晶表示回路１０９及びファインダ内ＬＣＤ２０８を用いてファインダ内の画面中央のＡＦポイントに対応するＬＣＤの１点のみを点灯させる。この時のファインダ内の状態を示したのが図１１（ａ）であり、測光エリア４１２ｆのうちの中央の１個の分割測光エリア４１２ｈに該当する部分のみ点灯（黒塗りした部分）される。
【００５６】
また、ＡＦポイント切換スイッチＦＰ＿ＳＥＬにて現在設定されている選択可能なＡＦポイントが４５点でない場合、つまり１１点の場合はステップ＃３５１からステップ＃３５４へ進み、ここではＭＰＵ１００は分割測光エリアのうち、選択可能な測光エリアを対応付け可能な分割測光エリアとする。そして、次のステップ＃３５５において、選択可能な分割測光エリアを選択可能なＡＦポイントに連動させる事を撮影者に知らせる為にＭＰＵ１００は液晶表示回路１０９及びファインダ内ＬＣＤ２０８を用いてファインダ内の１１点のＡＦポイントに対応するＬＣＤを点灯させる。この時のファインダ内の状態を示したのが図１１（ｂ）であり、分割測光エリア４１２ｃ〜４１２ｅと７個のうちの３個の分割測光エリア４１２ｆに該当する部分が点灯（黒塗りした部分）される。
【００５７】
ここで、図１１（ｂ）の場合、分割測光エリアの形状や数がＡＦポイントと異なる為、これらエリアの配置によっては複数のＡＦポイントが一つの分割測光エリアに対し関係する（一つの分割測光エリア内にＡＦポイントの一部のみが含まれるものが存在する）事になるが、１１点のＡＦポイントが選択された場合、それぞれの選択されたＡＦポイントは一つの分割測光エリア内に完全に含まれる様、前記分割測光エリアの形状や配置をあらかじめ定めている。
【００５８】
（実施の第３の形態）
上記実施の第１，第２の形態では、いずれの場合にも選択可能なＡＦポイントの数に応じて選択可能な分割測光エリアを変化させるようにしていたが、本発明の実施の第３の形態では、選択可能なＡＦポイントの数が変化すると測光モードを変化させるようにしている。
【００５９】
以下、上記実施の第１，第２の形態と同じ部分については説明は割愛し、本実施の第３の形態独自の部分についてのみ説明する。
【００６０】
本実施の第３の形態におけるＡＦポイントと分割測光エリアの配置は、上記実施の第１の形態と同じであるが、選択可能なＡＦポント数によって測光モードが変化する点が、上記実施の第１の形態とは異なる。
【００６１】
この実施の第３の形態の分割測光エリアとＡＦポイントの関係を示したのが図１２であり、同図において、（ａ）は選択可能なＡＦポイント４０２として４５点が選択されている場合を、（ｂ）と（ｃ）は選択可能なＡＦポイント４０２として１１点が選択されている場合を、それぞれ示している。
【００６２】
選択可能なＡＦポイントとして４５点が設定されている場合は、選択可能な分割測光エリア４０４は各ＡＦポイントに対応した４５個であり、４５点の中の例えば画面中央のＡＦポイントが最終的に使用者によって選択された場合には、該ＡＦポイントに対応づけられた１個の分割測光エリア（灰色で示した部分）をＭＰＵ１００は自動的に選択し、この分割測光エリアで測光情報を得る、つまりスポット測光を行うようにしている。
【００６３】
ところが、選択可能なＡＦポイントが１１点が設定された場合、種々の撮影条件にもよるが、最終的に選ばれた１つのＡＦポイントに対応づけられた分割測光リアのみならず、その周辺の分割測光エリアを含む方が適正な測光情報が得られる可能性があることに着目し、図１２（ｂ）又は（ｃ）に示す様に、最終的に選ばれた１つのＡＦポイントに対応する測光エリアとその周辺の４個の測光エリアを含む計５個の分割測光エリア（灰色で示した部分）をＭＰＵ１００は自動的に選択し、これら５個の分割測光エリアで測光情報を得る、つまり部分測光を行うようにしている。
【００６４】
選択可能なＡＦポイントに数に対応する測光モードの変更について、図１３のフローチャートを用いて説明する。尚、基本的な動作は実施の第１の形態と同様であるので、その説明は省略する。
【００６５】
まず、ステップ＃３６１において、選択可能なＡＦポイントは４５点であるか否かを判定し、そうであればステップ＃３６２へ進み、使用者によって最終的に任意の一つのＡＦポイントが選択された場合、ＭＰＵ１００はそのＡＦポイントに対応づけされた分割測光エリアでスポット測光（図１２（ａ）参照）を行うべく（測光モードをスポット測光モードとすべく）処理を行う。そして、ステップ＃３６３へ進み、４５個の分割測光エリアから任意の一つを選択可能であることを撮影者に知らせる為にＭＰＵ１００は液晶表示回路１０９及びファインダ内ＬＣＤ２０８を用いてファインダ内の４５点全てのＬＣＤを点灯させる（図１（ａ）の黒塗りで示した状態）。
【００６６】
また、選択可能なＡＦポイントが１１点であった場合は、ステップ＃３６１からステップ＃３６４へ進み、使用者によって最終的に任意の一つのＡＦポイントが選択された場合、ＭＰＵ１００はそのＡＦポイントに対応づけされた分割測光エリア及び周辺の分割測光エリアで部分測光（図１２（ｂ）又は（ｃ）参照）を行うべく（測光モードを部分測光モードとすべく）処理を行う。そして、ステップ＃３６３へ進み、１１個の分割測光エリアから任意の一つを選択可能であることを撮影者に知らせる為にＭＰＵ１００は液晶表示回路１０９及びファインダ内ＬＣＤ２０８を用いてファインダ内の１１点のＬＣＤを点灯させる（図１（ｂ）の黒塗りで示した状態）。
【００６７】
その他、上記実施の第１の形態と異なるのは、図６のステップ＃５４において、前記設定された測光モードに応じて、上記ステップ＃３６２又はステップ＃３６４にて設定された測光モードにより測光情報を得、シャッタ秒時や絞り値を決める点のみである。
【００６８】
以上の実施の第１及び第２の形態によれば、選択可能なＡＦポイントの数によって選択可能な分割測光エリアを変更するようにしているため、選択可能なＡＦポイントの選択を行った後に、今度は選択可能な分割測光エリアを選択をしなければならないといった、煩わしい操作を使用者に強要する事がない。又前述した様にＡＦポイントの数の設定操作に連動させて自動的に最適な分割測光エリアに変更される（別言すれば、測距エリアが使用禁止状態に設定されている場合には対応している分割測光エリアも自動的に使用禁止状態になる等）ので、初心者であっても、露出の失敗した写真を撮ることが無くなり、使い勝手の良いカメラとなる。
【００６９】
また、上記実施の第３の形態においては、選択可能なＡＦポイントの数によって複数の測光モードの中から最適な測光モードを、最終的に選択されるＡＦポイントに連動させて変更するようにしているため、操作性が良く、初心者であっても、撮影失敗の無い写真を撮ることが可能となる。
【００７０】
（発明と実施の形態の対応）
上記実施の第２の形態において、４５点のＡＦポイント４１１が本発明の複数の焦点調節エリアに、分割測光エリア４１２が本発明の複数の測光エリアに、ＭＰＵ１００内の図１０のステップ＃３５２，＃３５４が本発明の測光エリア変更手段に、ＡＦポイント選択モードスイッチＦＰ＿ＳＥＬが本発明の設定手段に、それぞれ相当する。
【００７１】
（変形例）
上記実施の形態では、一眼レフカメラに適用した例を示しているが、これに限定されるものではなく、レンズシャッタカメラや電子スチルカメラ等の各種のカメラに適用可能である。
【００７２】
また、焦点調節エリアとして、ＡＦポイント（ＡＦエリア）を例にしているが、本発明を上記レンズシャッタカメラに適用した場合には、被写体の距離情報を検出する為に使用される測距ポイント（測距エリア）がこれに相当することになる。
【００７３】
【発明の効果】
以上説明したように、本発明によれば、適正かつ煩雑な測光エリアの選択を使用者に委ねることの無いカメラを提供できるものである。
【図面の簡単な説明】
【図１】本発明の実施の第１の形態に係るカメラの選択可能なＡＦポイントと測光エリアを示す図である。
【図２】本発明の実施の各形態に係るカメラのＡＦポイント選択モードスイッチの上面図である。
【図３】本発明の実施の各形態に係るカメラの電気的構成を示すブロック図である。
【図４】本発明の実施の各形態に係るカメラの上面図である。
【図５】本発明の実施の各形態に係るカメラとストロボ装置の主に光学系を示した構成図である。
【図６】本発明の実施の各形態に係るカメラの一連の動作を示すフローチャートである。
【図７】本発明の実施の第１の形態に係るカメラのサブルーチン「スポット測光連動」のフローチャートである。
【図８】本発明の実施の各形態に係るカメラにおける測光モードの切換え順序と各測光モードの表示状態を示す図である。
【図９】本発明の実施の第２の形態に係るカメラの選択可能なＡＦポイントと測光エリアを示す図である。
【図１０】本発明の実施の第２の形態に係るカメラのサブルーチン「スポット測光連動」のフローチャートである。
【図１１】本発明の実施の第２の形態において選択可能なＡＦポイント数と分割測光エリアの対応を示す図である。
【図１２】本発明の実施の第３の形態に係るカメラの選択可能なＡＦポイントと測光モードとの関係を示す図である。
【図１３】本発明の実施の３の形態に係るカメラの選択可能なＡＦポイントと測光モードとの変更を説明する為のフローチャートである。
【符号の説明】
１００                      ＭＰＵ
１０２                      焦点検出回路
１０３                      測光回路
４０２，４１１              ＡＦポイント
４０４，４１２ａ〜４１２ｆ  分割測光エリア
ＦＰ＿ＳＥＬ                ＡＦポイント選択モード
【図１】
0004124874.tif 000002
【図２】
0004124874.tif 000003
【図３】
0004124874.tif 000004
【図４】
0004124874.tif 000005
【図５】
0004124874.tif 000006
【図６】
0004124874.tif 000007
【図７】
0004124874.tif 000008
【図８】
0004124874.tif 000009
【図９】
0004124874.tif 000010
【図１０】
0004124874.tif 000011
【図１１】
0004124874.tif 000012
【図１２】
0004124874.tif 000013
【図１３】
0004124874.tif 000014